【手続補正書】
【提出日】平成17年7月21日(2005.7.21)
【手続補正１】
【補正対象書類名】明細書
【補正対象項目名】発明の名称
【補正方法】変更
【補正の内容】
【発明の名称】映像送信端末、映像送信端末の通信方法、及び記憶媒体
【手続補正２】
【補正対象書類名】明細書
【補正対象項目名】特許請求の範囲
【補正方法】変更
【補正の内容】
【特許請求の範囲】
【請求項１】
ネットワークを介して接続される複数のクライアントに対してビデオカメラの映像を送信可能な映像送信端末であって、
前記クライアントによって出力されたビデオカメラの制御権の獲得要求を受信する受信手段と、
前記受信手段によって受信された前記ビデオカメラの制御権の獲得要求に応じて前記ビデオカメラの制御権を発行する発行手段と、
前記発行手段によって前記ビデオカメラの制御権が発行されたクライアントの制御命令に基づいて、前記ビデオカメラを制御する制御手段と、
前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知する通知手段とを有することを特徴とする映像送信端末。
【請求項２】
前記ビデオカメラの制御権が第１クライアントにより獲得されている状態から制御権が解放された状態へと変化する場合、前記通知手段は、少なくとも前記第１クライアントに対して、前記制御権が解放された状態に変化したことを通知することを特徴とする請求項１に記載の映像送信端末。
【請求項３】
前記ビデオカメラの制御権が獲得されている状態から制御権が解放された状態へと変化する場合、前記通知手段は、前記ビデオカメラの映像を受信している全てのクライアントに対して、前記制御権が解放された状態に変化したことを通知することを特徴とする請求項１に記載の映像送信端末。
【請求項４】
前記ビデオカメラの制御権が獲得されている状態であって、前記ビデオカメラの制御権の獲得要求が新たに受信された場合、前記通知手段は、前記ビデオカメラの制御権を獲得しているクライアントに対して新たに前記ビデオカメラの制御権の獲得要求が発行されたことを通知することを特徴とする請求項１に記載の映像送信端末。
【請求項５】
前記クライアントからの制御権の解放要求を受信したことに応じて、前記ビデオカメラの制御権が獲得されている状態から制御権が解放された状態へと変化することを特徴とする請求項１に記載の映像送信端末。
【請求項６】
ネットワークを介して接続される複数のクライアントに対してビデオカメラの映像を送信可能な映像送信端末であって、
前記クライアントによって出力された前記ビデオカメラの制御権の獲得要求を受信する受信手段と、
前記受信手段によって受信された前記ビデオカメラの制御権の獲得要求に応じて前記ビデオカメラの制御権を発行する発行手段と、
前記発行手段によって前記ビデオカメラの制御権が発行されたクライアントの制御命令に基づいて、前記ビデオカメラを制御する制御手段と、
前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知する通知手段とを有することを特徴とする映像送信端末。
【請求項７】
ネットワークを介して接続される複数のクライアントに対してビデオカメラの映像を送信可能な映像送信端末の通信方法であって、
前記クライアントによって出力されたビデオカメラの制御権の獲得要求を受信する受信工程と、
前記受信工程によって受信された前記ビデオカメラの制御権の獲得要求に応じて前記ビデオカメラの制御権を発行する発行工程と、
前記発行工程によって前記ビデオカメラの制御権が発行されたクライアントの制御命令に基づいて、前記ビデオカメラを制御する制御工程と、
前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知する通知工程とを有することを特徴とする映像送信端末の通信方法。
【請求項８】
ネットワークを介して接続される複数のクライアントに対してビデオカメラの映像を送信可能な映像送信端末の通信方法であって、
前記クライアントによって出力された前記ビデオカメラの制御権の獲得要求を受信する受信工程と、
前記受信工程によって受信された前記ビデオカメラの制御権の獲得要求に応じて前記ビデオカメラの制御権を発行する発行工程と、
前記発行工程によって前記ビデオカメラの制御権が発行されたクライアントの制御命令に基づいて、前記ビデオカメラを制御する制御工程と、
前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知する通知工程とを有することを特徴とする映像送信端末の通信方法。
【請求項９】
ネットワークを介して接続される複数のクライアントに対してビデオカメラの映像を送信可能な映像送信端末の通信処理を実行するプログラムを記憶した記憶媒体であって、
前記クライアントによって出力されたビデオカメラの制御権の獲得要求を受信させ、
受信された前記ビデオカメラの制御権の獲得要求に応じて前記ビデオカメラの制御権を発行する発行させ、
前記ビデオカメラの制御権が発行されたクライアントの制御命令に基づいて、前記ビデオカメラを制御させ、
前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知させるプログラムを記憶した記憶媒体。
【請求項１０】
ネットワークを介して接続される複数のクライアントに対してビデオカメラの映像を送信可能な映像送信端末の通信処理を実行するプログラムを記憶した記憶媒体であって、
前記クライアントによって出力された前記ビデオカメラの制御権の獲得要求を受信させ、
受信された前記ビデオカメラの制御権の獲得要求に応じて前記ビデオカメラの制御権を発行させ、
前記ビデオカメラの制御権が発行されたクライアントの制御命令に基づいて、前記ビデオカメラを制御させ、
前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知させるプログラムを記憶した記憶媒体。
【手続補正３】
【補正対象書類名】明細書
【補正対象項目名】０００１
【補正方法】変更
【補正の内容】
【０００１】
【発明の属する技術分野】
本発明は、例えば、ネットワークを介して接続される複数のクライアントに対してビデオカメラの映像を送信可能な映像送信端末、映像送信端末の通信方法、及び記憶媒体に関するものである。
【手続補正４】
【補正対象書類名】明細書
【補正対象項目名】０００６
【補正方法】変更
【補正の内容】
【０００６】
【発明が解決しようとする課題】
そこで本発明は、ビデオカメラの制御権の取得状態をクライアント側のコンピュータ端末に通知し、ビデオカメラの利用状態をユーザが容易に把握することが可能な映像送信端末、映像送信端末の通信方法、及び記憶媒体の提供などを目的とする。
【手続補正５】
【補正対象書類名】明細書
【補正対象項目名】０００７
【補正方法】変更
【補正の内容】
【０００７】
【課題を解決するための手段】
上述した目的を達成するために、本発明の映像送信端末は、ネットワークを介して接続される複数のクライアントに対してビデオカメラの映像を送信可能な映像送信端末であって、前記クライアントによって出力されたビデオカメラの制御権の獲得要求を受信する受信手段と、前記受信手段によって受信された前記ビデオカメラの制御権の獲得要求に応じて前記ビデオカメラの制御権を発行する発行手段と、前記発行手段によって前記ビデオカメラの制御権が発行されたクライアントの制御命令に基づいて、前記ビデオカメラを制御する制御手段と、前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知する通知手段とを有することを特徴とする。
また、本発明の映像送信端末は、ネットワークを介して接続される複数のクライアントに対してビデオカメラの映像を送信可能な映像送信端末であって、前記クライアントによって出力された前記ビデオカメラの制御権の獲得要求を受信する受信手段と、前記受信手段によって受信された前記ビデオカメラの制御権の獲得要求に応じて前記ビデオカメラの制御権を発行する発行手段と、前記発行手段によって前記ビデオカメラの制御権が発行されたクライアントの制御命令に基づいて、前記ビデオカメラを制御する制御手段と、前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知する通知手段とを有することを特徴とする。
また、本発明の映像送信端末の通信方法は、ネットワークを介して接続される複数のクライアントに対してビデオカメラの映像を送信可能な映像送信端末の通信方法であって、前記クライアントによって出力されたビデオカメラの制御権の獲得要求を受信する受信工程と、前記受信工程によって受信された前記ビデオカメラの制御権の獲得要求に応じて前記ビデオカメラの制御権を発行する発行工程と、前記発行工程によって前記ビデオカメラの制御権が発行されたクライアントの制御命令に基づいて、前記ビデオカメラを制御する制御工程と、前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知する通知工程とを有することを特徴とする。
また、本発明の映像送信端末の通信方法は、ネットワークを介して接続される複数のクライアントに対してビデオカメラの映像を送信可能な映像送信端末の通信方法であって、前記クライアントによって出力された前記ビデオカメラの制御権の獲得要求を受信する受信工程と、前記受信工程によって受信された前記ビデオカメラの制御権の獲得要求に応じて前記ビデオカメラの制御権を発行する発行工程と、前記発行工程によって前記ビデオカメラの制御権が発行されたクライアントの制御命令に基づいて、前記ビデオカメラを制御する制御工程と、前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知する通知工程とを有することを特徴とする。
また、本発明の記憶媒体は、ネットワークを介して接続される複数のクライアントに対してビデオカメラの映像を送信可能な映像送信端末の通信処理を実行するプログラムを記憶した記憶媒体であって、前記クライアントによって出力されたビデオカメラの制御権の獲得要求を受信させ、受信された前記ビデオカメラの制御権の獲得要求に応じて前記ビデオカメラの制御権を発行する発行させ、前記ビデオカメラの制御権が発行されたクライアントの制御命令に基づいて、前記ビデオカメラを制御させ、前記ビデオカメラの制御権が獲得されている状態から制御権が解放された状態へと変化する場合、前記ビデオカメラの映像を受信している少なくとも１つのクライアントに対して、前記制御権が解放された状態に変化したことを通知させるプログラムを記憶する。
また、本発明の記憶媒体は、ネットワークを介して接続される複数のクライアントに対してビデオカメラの映像を送信可能な映像送信端末の通信処理を実行するプログラムを記憶した記憶媒体であって、前記クライアントによって出力された前記ビデオカメラの制御権の獲得要求を受信させ、受信された前記ビデオカメラの制御権の獲得要求に応じて前記ビデオカメラの制御権を発行させ、前記ビデオカメラの制御権が発行されたクライアントの制御命令に基づいて、前記ビデオカメラを制御させ、前記ビデオカメラの制御権が獲得されている状態であって、前記ビデオカメラの制御権の獲得要求が新たに受信された場合、前記ビデオカメラの制御権を獲得しているクライアントに対して新たに前記ビデオカメラの制御権の獲得要求が発行されたことを通知させるプログラムを記憶する。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】